(57)【要約】【課題】連続打ち込み時の釘打機の反動を減少させるとともに、単発打ち時のドリブルの発生とエアチャックを接続したときの誤作動を防止する。【解決手段】コンタクトレバー３４を支持させるようにコンタクトアーム３３に回動可能に設けられた支持レバー４１と、トリガレバー３２の係合片４６と協働して支持レバー４１を回動させる操作レバー４２とを備えて起動装置３０を構成し、トリガレバー３２の回動操作とコンタクトアーム３３によって操作される支持レバー４１によってコンタクトレバー３４の量端を各々上方へ移動させてバルブステム１９をオン作動させるようにし、コンタクトアーム３３に続けてトリガレバー３２を操作する単打モード時には、トリガレバー３２の回動操作によって係合片４６を操作レバー４２の下方に配置させて、反動によって下方向へ作動する操作レバー４２を係合片４６と係合させて、操作レバー４２を介して支持レバー４１を回動させる。【選択図】図２
2005212090.tif 000002
【特許請求の範囲】
【請求項１】
釘を打撃するドライバを衝撃的に駆動させる打撃機構と、該打撃機構を収容するとともに先端部に前記ドライバを摺動自在に案内するノーズ部が取り付けられたハウジングと、前記打撃機構に圧縮空気を供給して前記ドライバを駆動させるとともにドライバを駆動した圧縮空気を排気させて打撃機構を初期位置に復帰させるように作動させる起動バルブと、ハウジングを把持している手指によって操作されるトリガレバーと前記ノーズ部を被打込材へ接触させることによって操作されるコンタクトアームとにより構成された起動装置とを備えており、該起動装置によって前記起動バルブを操作させるようにした釘打機において、前記起動装置が更に、コンタクトレバーの操作端と係合するようにコンタクトアームの先端に回動可能に設けられた支持レバーと、トリガレバーに形成されている係合片と協働して前記支持レバーとコンタクトレバーとの係合を解除させるように支持レバーを回動させる操作レバーとを備えて構成されており、トリガレバーの回動操作によってコンタクトレバーの基端部を上方へ作動させるとともに、コンタクトアームと連動して上方へ移動操作される支持レバーをコンタクトレバーの操作端と係合させてと該操作端を上方へ作動させることによってバルブステムをオン作動させるようにするとともに、コンタクトアームに続けてトリガレバーを操作する単打モード時には、トリガレバーの回動操作によって前記トリガレバーの係合片を操作レバーの下方に配置させて、釘打機の反動によってコンタクトアームとともに下方向へ作動する操作レバーを前記係合片と係合させることによって、操作レバーを介して支持レバーを回動させて支持レバーとコンタクトレバーの係合を解除させるようにしたことを特徴とする釘打機の起動装置。
【発明の詳細な説明】
【技術分野】
【０００１】
本発明は、釘打機を把持している手指によって操作されるトリガレバーと、釘を打ち出す射出口を形成しているノーズ部を被打込材へ押圧させることによって操作されるコンタクトアームとの協働により起動バルブをオン作動させて釘打機を起動させてノーズ部に供給された釘を被打込材へ打ち込むようにした釘打機の起動装置に関する。
【背景技術】
【０００２】
圧縮空気を動力源としてピストンをシリンダ内で衝撃的に駆動させて、ピストンに結合したドライバをノーズ部に形成した射出口内で摺動可能に案内させるとともに、前記射出口内に供給された釘を前記ドライバによって打撃して被打込材に打ち込むようにした釘打機が知られている。このような釘打機では釘打機を把持するグリップ部の基部に形成されているトリガレバーの引き操作と、前記ノーズ部の先端に突出させて配置されているコンタクトアームを被打込材へ押しつける操作の、２つの操作により釘打機を起動させて、前記シリンダ内へ導入した圧縮空気によりピストンを駆動させてピストンに連結されたドライバによって釘を打ち込むように構成されている。
【０００３】
このような釘打機での釘の打ち込み方式としては、最初にトリガレバーを回動操作した後に釘打機のノーズ部を被打込材に押し当てることでコンタクトアームをスライド操作させて釘打機を起動させる連続打ちモードと、釘打機のノーズ部を被打込材の打込み箇所に位置決めしてコンタクトアームをスライド作動させてその後トリガレバーを回動操作して釘打機を起動させるようにした単発打ちモードとがある。連続打ちモードでは、トリガレバーを引き操作したままで釘打機のノーズ部を被打込材へ打ち当てる毎に釘打機を連続して起動させて連続的に釘の打込みが行える。また、単発打ちモードでは、決められている打込み位置へ確実に釘打ちを行わせるとともに、釘打機が反動によって上動して再びノーズ部が被打込材へ押しつけられてコンタクトアームが操作されることによる２度打ち等が発生しないようにしている。
【０００４】
従来の釘打機の起動装置として、同一の釘打機で上記連続打ちモードと単発打ちモードとを自動的に切り換えてそれぞれのモードでの釘打ち作業が行なえるようにしたものがある。この従来の釘打機は、コンタクトアームと一体に上下動するように切換作動部材を設け、コンタクトアームをスライド作動させた後にトリガレバーを回動操作する単発打ちモード時に、トリガレバーによって前記切換作動部材とコンタクトアームを上方位置に保持させ、この上方に保持された切換作動部材又はコンタクトアームとコンタクトレバーとを係合させることによって起動バルブのバルブステムをオン作動状態に保持させるようにし、更に、前記トリガレバーの開放操作によって切換作動部材の保持を解消させて上記起動バルブのバルブステムをオフ位置まで作動できるようにしている。
【特許文献１】特許第２７２７９６０号公報
【０００５】
上記従来の釘打機では、ノーズ部を被打込材の表面へ押し当ててコンタクトアームを作動させた後にトリガレバーを操作して釘打機を駆動させる単発打ちモード時に、トリガレバーを引き操作することでバルブステムを作動させて起動バルブがオン作動されて釘打機が起動したときに、その反動によって釘打機が上動してノーズ部が被打込材の表面から離反することによってコンタクトアームが戻され、その後釘打機が下降して再度コンタクトアームが操作されたときに釘を再び打ち込んでしまうドリブル打ち現象が発生することがある。このようなドリブル打ち現象を防止するため、バルブステムの作動ストロークの上死点に近い位置で起動バルブがオン作動され、また、バルブステムの作動ストロークの下死点に近い位置で起動バルブがオフ作動されるように、起動バルブのトリガステムが上方へ操作されて起動バルブをオンさせる位置と、オン状態の起動バルブのトリガステムが下方向に移動して起動バルブをオフさせる位置とをずらして設定している。そして、上記従来の切換作動部材を備えた釘打機では、切換作動部材によってバルブステムがオン状態を維持するように起動バルブのバルブステムの下方位置を規制させ、トリガレバーを引き操作している限りコンタクトアームの上下作動にかかわらず、起動バルブがオフ作動されることがなくコンタクトアームが再度操作されても釘打機を再起動させることがないようにされている。
【発明の開示】
【発明が解決しようとする課題】
【０００６】
ところで、連続打ちモードで連続的に釘打ちを行う場合には、トリガレバーを引き操作した状態で釘打機を被打込材へ向けて振り下ろしてノーズ部を被打込材面へ打ち当てる動作によってコンタクトアームを作動させて、振り下ろしの途中で起動バルブをオンさせて釘打機を起動させて釘を打ち込むようにしている。このように釘打機を振り下ろしながら駆動させることによって釘打機が駆動したときに発生する反動を吸収させて連続的な釘打ち込み作業をしやすくさせている。前述のように、バルブステムの操作ストロークの上死点に近い部分で起動バルブがオン作動されるように設定されていると、コンタクトアームの操作ストロークの最後の方で起動バルブがオン作動されることになり、振り下ろした釘打機のノーズ部が被打込材に着地した後で釘打機が駆動されることになって反動を吸収することができず、釘打機に大きな反動が発生して釘打機が被打込材面から大きく離反してしまうことになって作業性を損なうことがある。
【０００７】
上記連続打ちモード時の釘打機の反動を小さくするにはコンタクトアームのストロークの早いタイミングで起動バルブをオン作動させる必要があるが、起動バルブを早いタイミングでオン作動させるにはバルブステムのオン位置をストロークの下方向に設定する必要があり、バルブステムのオン位置を下死点側に近く設定すると、バルブステムのオン位置とオフ位置のずらし量が小さくなって、前述のように単打打ち時に反動によって釘打機が上動した際にコンタクトアームが戻されてこのときにバルブステムがオフ位置まで下降してしまい起動バルブがオフ状態となり再度コンタクトアームが操作されることによって釘打機が再駆動してしまうドリブルが発生してしまったり、又は、釘打機にエアが供給されていない状態でコンタクトアームを操作した後にトリガレバーを引き操作して単発打ちモードを保持させた状態で起動バルブのバルブステムが切換作動部材によってオン位置より上方に配置されてしまうことがあるため、この状態でエアチャックを接続したときに起動バルブがオン作動して釘打機が誤作動してしまうことがある。
【０００８】
本発明は上記従来技術における問題点を解消し、連続打ち、単発打ちの各モードの切換え設定がトリガレバーとコンタクトアームの２つの部材の操作順によって自動的に行えるとともに、連続打ちモードでの釘打機の反動を減少させることができ、更に、単発打ちモード時のドリブルの発生と、単発打ちモードを保持した状態でエアチャックを接続したときの誤作動が防止できる釘打機の起動装置を提供することを課題とする。
【課題を解決するための手段】
【０００９】
上記課題を解決するため本発明の釘打機の起動装置は、釘を打撃するドライバを衝撃的に駆動させる打撃機構と、該打撃機構を収容するとともに先端部に前記ドライバを摺動自在に案内するノーズ部が取り付けられたハウジングと、前記打撃機構に圧縮空気を供給して前記ドライバを駆動させるとともにドライバを駆動した圧縮空気を排気させて打撃機構を初期位置に復帰させるように作動させる起動バルブと、ハウジングを把持している手指によって操作されるトリガレバーと前記ノーズ部を被打込材へ接触させることによって操作されるコンタクトアームとにより構成された起動装置とを備えており、該起動装置によって前記起動バルブを操作させるようにした釘打機において、前記起動装置が更に、コンタクトレバーの操作端と係合するようにコンタクトアームの先端に回動可能に設けられた支持レバーと、トリガレバーに形成されている係合片と協働して前記支持レバーとコンタクトレバーとの係合を解除させるように支持レバーを回動させる操作レバーとを備えて構成されており、トリガレバーの回動操作によってコンタクトレバーの基端部を上方へ作動させるとともに、コンタクトアームと連動して上方へ移動操作される支持レバーをコンタクトレバーの操作端と係合させてと該操作端を上方へ作動させることによってバルブステムをオン作動させるようにするとともに、コンタクトアームに続けてトリガレバーを操作する単打モード時には、トリガレバーの回動操作によって前記トリガレバーの係合片を操作レバーの下方に配置させて、釘打機の反動によってコンタクトアームとともに下方向へ作動する操作レバーを前記係合片と係合させることによって、操作レバーを介して支持レバーを回動させて支持レバーとコンタクトレバーの係合を解除させるようにしたことを特徴とする。
【発明の効果】
【００１０】
本発明の釘打機の起動装置は、コンタクトアームの先端にコンタクトレバーの操作端側と係合して操作端側を支持させる支持レバーを回動可能に設け、更に回動操作されたトリガレバーに形成されている係合片と協働して反動によってコンタクトアームが下方向に作動したときに前記支持レバーとコンタクトレバーとの係合を解除させるように支持レバーを回動させる操作レバーとを備えて構成されており、コンタクトアームによって上方へ作動される支持レバーをコンタクトレバーの操作端と係合させてコンタクトレバーの操作端側を上方へ回動させるようにしているので、この支持レバーの先端部を高い位置に設定することが可能であり、コンタクトアームの操作ストロークの早いタイミングで起動バルブをオン作動させることが可能となり、釘打機を被打込材へ振り下ろし操作の途中で釘打機を起動させることができ、釘打機の駆動による反動を小さくでき、連続打ち作業を楽に行うことが可能となる。
【００１１】
また、単発打ちモード時には、コンタクトアームの後に操作されるトリガレバーの回動によって、トリガレバーに形成した係合片を操作レバーの下方に配置させて、釘打機が釘打ち込みの反動によって上動してコンタクトアームが下方へ作動したときに、操作レバーを係合片と係合させることによってこの操作レバーを介して前記支持レバーとコンタクトアームとの係合を解除させるように支持レバーを回動させて、コンタクトレバーの操作端をコンタクトアームの作動軌跡上から退避する位置へ回動させるようにしているので、上動した釘打機が再度被打込材へ着地することによってコンタクトアームが再操作されても、この際操作によってコンタクトレバーが回動されることが無く従って釘打機の反動によるドリブル打ちが防止できる。
【００１２】
更に、ノーズ部を被打込材に押し当ててコンタクトアームを操作させてトリガレバーを引き操作した単打保持状態であっても、ノーズ部を被打込材から離反させてコンタクトアームを非操作状態にすることによって、コンタクトレバーがバルブステムをオフ位置へ作動され起動バルブがオフ作動状態に維持されるので、この状態で釘打機をエア供給源へ接続した場合でも釘打機が起動してしまうことが無く、エア接続時の誤作動が発生しない。
【発明を実施するための最良の形態】
【００１３】
本発明は、連続打ち、単発打ちの各モードの切り換え設定がトリガレバーとコンタクトアームの２つの部材の操作順を選択することによって自動的に行えるとともに、連続打ちモードでの連続打ち込み時の釘打機の反動を減少させることができ、単発打ちモード時のドリブルの発生と、単発打ちモードを保持した状態でエアチャックを接続したときの誤作動を防止させるという目的を、釘打機の起動装置を、コンタクトレバーの操作端側と係合して支持させるようにコンタクトアームの先端に回動可能に設けられた支持レバーと、トリガレバーに形成されている係合片と協働して前記支持レバーとコンタクトレバーとの係合を解除させるように支持レバーを回動させる操作レバーとを備えて構成することにより実現したものであり、より具体的な実施例を以下に説明する。
【実施例１】
【００１４】
図１に示すように釘打機１は後方に向けてグリップ部８が一体に形成されたハウジング２の内部に、下面に釘を打撃するドライバ３を結合したピストン４と該ピストン４を摺動自在に収容しているシリンダ５とにより構成されている打撃機構が収容されており、このハウジング２の先端部にはピストン４に結合されているドライバ３を摺動案内する射出口６が形成されたノーズ部７が取り付けられている。前記ハウジング２に形成されたグリップ部８の内部にはグリップ部８の後端に取り付けられているエアプラグ９を介して圧縮空気源から供給される圧縮空気を溜めるためのエアチャンバ１０が形成されており、このエアチャンバ１０内の圧縮空気を前記シリンダ５内に供給することによってピストン４を衝撃的に駆動させて、前記射出口６内に供給された釘をドライバ３によってノーズ部７の先端方向へ打ち出すようにしている。
【００１５】
前記ハウジング２内のシリンダ５の上方には、シリンダ５内へエアチャンバ１０内の圧縮空気を供給してピストン４を駆動させ、また、ピストン４を駆動させた後の圧縮空気をシリンダ５内から大気へ排出させてピストン４を復帰作動させるための環状に形成されたメインバルブ１１が設けられている。このメインバルブ１１は前記ハウジング２の上部に配置されている上部ハウジング１２に形成されている環状チャンバ１３内にメインバルブ１１の上端部が収容されて配置されており、この環状チャンバ１３内へ圧縮空気が供給されることによってメインバルブ１１が下方向へ作動されてシリンダ５内をエアチャンバ１０と遮断させるとともにシリンダ５を大気へ接続させるように作動され、また、環状チャンバ１３内の圧縮空気が大気に排気されることによってメインバルブ１１の下端部に作用しているエアチャンバ１０内の圧縮空気によってメインバルブ１１が上方へ作動されて、シリンダ５内を大気と遮断させるとともにエアチャンバ１０へ接続させるように作動させられる。
【００１６】
更に前記グリップ部８の基部には、前記メインバルブ１１が収容されている環状チャンバ１３内の圧縮空気を制御してメインバルブ１１を作動させて釘打機１を起動させる起動バルブ１５が設けられている。図２に示すように起動バルブ１５は、下端のピストン部がシリンダ状に形成されているバルブハウジング１６内に摺動自在に収容されている中空状のパイロット弁１８と、上端部が前記パイロット弁１８の中空部内に収容されるとともに下端が前記バルブハウジング１６から突出されるように配置されているバルブステム１９により構成されている。パイロット弁１８の上部には、前記環状チャンバ１３に連通しているエア通路１７を前記エアチャンバ１０と排気チャンバ１４間に選択的に接続させるように作動する弁体が一体に形成されている。また、前記バルブステム１９は、前記バルブハウジング１６内の前記パイロット弁１８のピストン部の下方に形成されるバルブチャンバ２０内を大気と遮断又は連通状態にさせるとともに、前記パイロット弁１８と協働して該バルブチャンバ２０内への圧縮空気の流入又は遮断を制御するように作動する。
【００１７】
図３（ａ）に示すように、前記バルブステム１９には、バルブハウジング１６内に形成された筒状部２１内に嵌合される第一Ｏリング２２と前記パイロット弁１８の中空部内に嵌合される第二Ｏリング２３とを備えており、図３（ａ）に示すように、バルブステム１９が下死点に配置されている操作前には第一Ｏリング２２がバルブハウジング１６の筒状部２１内に嵌合されてバルブチャンバ２０内と大気間を連通させている排気口２６を遮断させている。バルブチャンバ２０内にはパイロット弁１８の周壁面に形成された開口２４を介してエアチャンバ１０内の圧縮空気が供給されており、この圧縮空気の圧力によってパイロット弁１８が上方へ移動されて、パイロット弁１８の上端が排気弁座２５と密着されて前記エア通路１７を排気チャンバ１４と遮断させるとともにエア通路１７をエアチャンバ１０と接続させてメインバルブの環状チャンバ１３へ圧縮空気を供給してシリンダ５とエアチャンバ１０間を遮断させるように作動させている。
【００１８】
バルブステム１９が上記下死点位置から上方へ操作されて図３（ｂ）に示すように、バルブステム１９が下死点位置からＡ寸法のオン位置まで作動されると、バルブステム１９の第一Ｏリング２２がバルブハウジング１６の筒状部２１から抜け出され、バルブチャンバ２０内の圧縮空気が排気口２６から排気されてバルブチャンバ２０内の圧力が低下し、これによってパイロット弁１８はエアチャンバ１０内の圧縮空気がピストン部の上面側に作用することによって下方向に作動されて、パイロット弁１８の上部に配置されている第三Ｏリング２７が環状スリーブ２８の上端に形成されている給気弁座２９と嵌合してエア通路１７とエアチャンバ１０間を断させるとともにパイロット弁１８の上端が排気弁座２５から離反されてエア通路１７を排気チャンバ１４へ連通させて環状チャンバ１３内の圧縮空気を大気へ排気させる。これによってメインバルブ１１が上方へ作動されてシリンダ５内をエアチャンバ１０と連通させエアチャンバ１０内の圧縮空気をシリンダ５内へ供給させる。
【００１９】
起動バルブ１５のバルブチャンバ２０内の圧縮空気が排気されてパイロット弁１８が下方に作動して起動バルブ１５がオン状態に作動すると、パイロット弁１８の中空部内にバルブステム１９の第二Ｏリング２３が嵌合されて、開口２４を介してバルブチャンバ２０内へ供給される圧縮空気を遮断させる。起動バルブ１５がオンされた後バルブステム１９が下方向へ操作されると、バルブステム１９の第一Ｏリング２２がバルブハウジング１６の筒状部２１に嵌合してバルブハウジング１６を大気と遮断させるが、このときには上記のように第二Ｏリング２３がパイロット弁１８の中空内へ嵌合されておりバルブチャンバ２０内への圧縮空気の流入を遮断させているので起動バルブ１５はオン状態を維持している。図３（ｃ）に示すようにバルブステム１９が下死点からＢ寸法のオフ位置まで作動されると、バルブステム１９の第二Ｏリング２３がパイロット弁１８の中空部から抜け出されて、バルブチャンバ２０内へ開口２４を介して圧縮空気が供給されてこの圧縮空気によってパイロット弁１８が上方へ作動されて起動バルブ１５がオフ状態に作動される。
【００２０】
要するに、バルブステム１９が下死点位置から図３（ｂ）に示すＡ寸法分上方に向けたオン位置へ操作されることによって起動バルブ１５がオン状態に作動されて打撃機構が駆動され、また、上記オン作動状態からバルブステム１９が下方に操作されて図３（ｃ）に示すように下死点位置からＢ寸法のオフ位置まで作動されたときに起動バルブ１５がオフ状態に作動されて打撃機構が初期状態に復帰させられる。
【００２１】
起動バルブ１５のバルブハウジング１６から下方へ突出されているバルブステム１９の下方にはこのバルブステム１９を操作するための起動装置３０が形成されている。起動装置３０は、図１に示すようにグリップ部８を把持した手の指によって操作できるようにグリップ部８の基部に枢着軸３１によって回動可能に形成されているトリガレバー３２と、釘を打ち込み案内する射出口６が形成されたノーズ部７に沿って摺動可能に支持されているコンタクトアーム３３及び、前記起動バルブ１５のバルブステム１９と係合して該バルブステム１９を操作するように前記トリガレバー３２の両側壁の間に配置されているコンタクトレバー３４により構成されている。前記コンタクトアーム３３は下端部３３ａが射出口６の先端方向に突出して配置されており、ノーズ部７を被打込材へ押し当てることによって前記下端部３３ａを被打込材と係合させてノーズ部７に沿ってスライド作動させるようにしている。
【００２２】
図２に詳細に示すように、トリガレバー３２は断面がＵ字状に形成されており、その前方端においてハウジング２に枢着軸３１によって回動可能に枢支され、グリップ部８を把持している手の指によって前記枢着軸３１を中心として回動操作できるようにされている。このトリガレバー３２の両側壁の間には起動バルブ１５のバルブステム１９と係合してこのバルブステム１９を上方へ押し上げ操作するためのコンタクトレバー３４が配置されており、コンタクトレバー３４は前記トリガレバー３２の両側壁間に架設されている支軸３７によって基端部３５側が回転自在に支持されて設けられ、コンタクトレバー３４の他端側はトリガレバー３２の枢着軸３１の方向に延びて配置されて操作端３６を形成している。
【００２３】
また、前記コンタクトアーム３３の上端には垂直方向上方に延びた垂直片３８ａが一体に形成されたＬ字片３８が取り付けられており、このＬ字片３８の上面に配置されているバネ３９によってＬ字片３８とコンタクトアーム３３が下方向へ向けてスライド付勢されており、この付勢力によってコンタクトアーム３３の下端部３３ａが射出口６の先端方向へ突出して配置されている。上記Ｌ字片３８の上方に延びた垂直片３８ａには、前記コンタクトレバーの操作端３６と係合してこの操作端３６を下面側から支持するようにした支持レバー４１と、この支持レバー４１と操作端３６との係合を解離させるように支持レバー４１を回動操作させる操作レバー４２とが各々回動自在に設けられている。これらの操作レバー４１と操作レバー４２は前記コンタクトアーム３３のスライド作動に伴ってＬ字片３８と一体に上下方向にスライド作動させられる。
【００２４】
図４及び図５に示すように、Ｌ字片３８の垂直片３８ａの両側縁から前方側に向けて平行に延びた一対のフランジ部４０が形成されており、この一対のフランジ部４０の内側に前記支持レバー４１が、またフランジ部４０の外側に前記操作レバー４２が各々独立して回転できるように支持されている。支持レバー４１には基端部３５がトリガレバー３２に回動自在に保持されているコンタクトレバー３４の操作端３６と対向するように上方に延びた支持部４３が形成されており、この支持部４３がコンタクトレバー３４の操作端３６と対向する垂直方向に向いた位置へ図示していないバネ等によって回動付勢されている。また、操作レバー４２の両側には水平方向後方側へ延びた操作アーム４４が形成されており、この操作アーム４４の端部には外側面方向に突出させた係合突起４５が形成されている。図６及び図７に示すように、前記トリガレバー３２には前記操作アーム４４の係合突起４５と係合可能な係合片４６が形成されており、該係合片４６は、図６に示すように、連続打ちモード時のトリガレバー３２の操作によって操作レバー４２の操作アーム４４の端部に形成した係合突起４５の上側に配置され、また、単発打ちモード時のコンタクトアーム３３を上方へスライド操作した後でトリガレバー３２を回動操作したときには、図７に示すように、係合片４６が上方へ作動された操作アーム４４の係合突起４５の下面側に配置されるようにされている。
【００２５】
図６に示すように、トリガレバー３２が回動操作された後でコンタクトアーム３３が上方へスライド操作されたときに、コンタクトアーム３３と一体に上方へスライド移動させられる操作レバー４２の操作アーム４４の係合突起４５がトリガレバー３２の係合片４６の下面側と係合することによって、操作レバー４２が時針回り方向に回動される。前記支持レバー４１の両側面には前記操作レバー４２の両側に形成されている操作アーム４４と係合可能な係合ピン４７が突出形成されているが、上記のように操作レバー４２が時針回り方向に回動する際には操作レバー４２の操作アーム４４はこの係合ピン４７に係合することがなく支持レバー４１は回動されない。図７に示すように、コンタクトアーム３３を上方へスライド操作した後にトリガレバー３２を回動操作することによって係合片４６が操作レバー４２の下方に配置され、この状態からコンタクトアーム３３が下方向に作動したときに、コンタクトアーム３３とともに下方向へ作動される操作レバー４２の操作アーム４４に形成されている係合突起４５がトリガレバー３２の係合片４６の上面側と係合され、これによって、操作レバー４２が反時針回り方向に回動され、操作レバー４２の操作アーム４４が支持レバー４１の係合ピン４７と係合して支持レバー４１を反時針回り方向へ回動させて、支持レバー４１の支持部４３がコンタクトレバー３４の操作端３６との係合を回避させる方向へ回動させるようにしている。
【００２６】
上記構成の釘打機１の起動装置３０による連続打ちモードと単発打ちモードの各作動態様を説明する。連続打ちモードを選択する場合は、図８に示すように、まずグリップ部８を把持している手の指によってトリガレバー３２を引き操作して、トリガレバー３２を最大引き操作位置まで回動させる。このようにトリガレバー３２を引き操作することによりトリガレバー３２に架設されている支軸３７を介してコンタクトレバー３４の基端部３５側が上方へ移動されるように反時針回り方向に回動されてコンタクトレバー３４の背面がバルブステム１９と係合されるが、この状態では起動バルブ１５のバルブステム１９がオン位置まで操作されることがなく釘打機１は起動されない。上記のトリガレバー３２の回動操作によって、トリガレバー３２に形成されている係合片４６が操作レバー４２の係合突起４４の上方に配置される。
【００２７】
次に、釘打機１のノーズ部７を上方から被打込材面へ向けて振り下ろし操作してノーズ部７の先端を被打込材の表面に打ち当てるようにして図９に示すように、コンタクトアーム３３を上方へスライド操作する。このコンタクトアーム３３の操作によってコンタクトアーム３３の上端に形成されているＬ字片３８と、このＬ字片３８によって支持されている支持レバー４１と操作レバー４２とが一体的に上方へ作動される。支持レバー４１の支持部４３がコンタクトレバー３４の操作端３６と係合して、コンタクトレバー３４の操作端３６を上方へ移動させてコンタクトレバー３４を前記支軸３７を中心として回動させる。このように回動されるコンタクトレバー３４の背面によりバルブステム１９が押し上げ操作されて、バルブステム１９が前述の図３（ｂ）に示すオン位置まで操作されたときに起動バルブ１５がオン作動されて打撃機構を作動させ被打込材に対して釘が打ち込まれる。
【００２８】
上記コンタクトアーム３３の上方へのスライド移動によってＬ字片３８とともに支持レバー４１と操作レバー４２が上方へ作動されたときに、操作レバー４２の操作アーム４４に形成された係合突起４５がトリガレバー３２の係合片４６の下面と係合して操作レバー４２を時針周り方向に回動させるが、操作レバー４２の操作アーム４４は係合ピン４７と係合することがなく、この回動によって支持レバー４１は何の影響も受けることなくコンタクトレバー３４の操作端３６と係合した状態が維持されて、コンタクトレバー３４を回動させて起動バルブ１５をオン作動させて釘打機１を起動させる。また、支持レバー４１の先端部４３を高い位置に設定してあるため、コンタクトアームの操作ストロークの早いタイミングで起動バルブ１５がオン作動し、釘打ち込み時の反動が少なくなる。
【００２９】
上記操作によって最初の釘打ちが終了した後に、トリガレバー３２を引き操作したままで釘打機１のノーズ部７を被打込材面から離反させると、図８に示すように、Ｌ字片３８とコンタクトアーム３３がバネ３９の作用によって下方に移動され、このＬ字片３８に支持されている支持レバー４１と操作レバー４２もＬ字片３８と一体に下降して、コンタクトレバー３４の操作端３６側が下方向に移動して基端部３５側を中心として反時針回り方向に回動して、この回動に伴ってバルブステム１９が下降して起動バルブ１５をオフ作動させて打撃機構が初期状態に復帰する。またこの際に、操作レバー４２の係合突起４５がトリガレバー３２の係合片４６から離反することによって操作レバー４２が初期位置まで回転復帰する。この状態から再び釘打機１を振り下ろししてコンタクトアーム３３を操作すると、コンタクトアーム３３とともにＬ字片３８と支持レバー４１及び操作レバー４２が上動して支持レバー４１の支持部４３によってコンタクトレバー３４の操作端３６側を上方へ回動させてバルブステム１９を上死点まで押し上げるので、再度起動バルブ１５がオン作動し打撃機構が駆動される。
【００３０】
このように、トリガレバー３２を引き操作したままで釘打機１のノーズ部７を被打込材に押し付け、また離反させる操作を繰り返して行うことによってコンタクトアーム３３を操作する度に起動バルブ１５がオン、及びオフ作動されて打撃機構が連続的に駆動されるから、連続打ちを行なうことができる。また、一連の連続した釘打ち作動が終了した後にトリガレバー３２を解放操作すれば、Ｌ字片３８と支持レバー４１及び操作レバー４２が図２に示す初期状態に復帰する。上記のように単にコンタクトアーム３３の操作に先立ってトリガレバー３２を引き操作してこの状態を保持することによって連続打ちモードの設定ができ、トリガレバー３２を保持したままでコンタクトアーム３３を連続して操作させることによって釘を連続して打ち込むことが可能となる。
【００３１】
次に、単発打ちモードで釘打ちを行う場合は、トリガレバー３２の操作に先立って釘打機１のノーズ部７を被打込材に押し当ててコンタクトアーム３３を上方にスライド作動させる。トリガレバー３２が回動操作されていないので操作レバー４２の係合突起４５がトリガレバー３２の係合片４６と係合することなく、図１０に示すように支持レバー４１と操作レバー４２とがコンタクトアーム３３の上端に固定されているＬ字片３８とともに上方へ移動操作される。支持レバー４１に形成されている支持部４３がコンタクトレバー３４の操作端３６と係合してコンタクトレバー３４の操作端３６側を上方へ移動させるようにコンタクトレバー３４をトリガレバー３２に架設されている支軸３７を中心として回動させる。この状態ではトリガレバー３２が回動操作されていないのでコンタクトレバー３４の基端部３５側が下方に配置されており、コンタクトレバー３４の背面はバルブステム１９を押し上げ操作しておらず、従って釘打機１は起動されない。
【００３２】
この後、トリガレバー３２を引き操作することによって、図１１に示すように、トリガレバー３２が枢着軸３１を中心として回動されて支軸３７が上方へ移動され、これによってコンタクトレバー３４の基端部３５側が上方へ押し上げられるように回動される。コンタクトレバー３４の操作端３６は支持レバー４１の支持部４３によって高い位置に支持されており、前述のようにコンタクトレバー３４の基端部３５側が上方へ回動されることによってコンタクトレバー３４は操作端３６側を中心として反時針回り方向に回動して、このコンタクトレバー３４の背面によって起動バルブ１５のバルブステム１９を上方へ押し上げ作動させて起動バルブ１５をオン作動させて釘打機１を起動させる。なお、このときのトリガレバー３２の回動操作によってトリガレバー３２に形成されている係合片４６が操作レバー４２の操作アーム４４に形成されている係合突起４５の下方側に配置される。
【００３３】
コンタクトアーム３３とトリガレバー３２を操作して前述のように釘打機１を駆動させたとき、反動によって釘打機１が上動してノーズ部７の先端が被打込材面から離反してこれによってコンタクトアーム３３が下方向へスライド作動することがある。コンタクトアーム３３が下方向へ作動すると、図１２に示すように、コンタクトアーム３３の上端に取り付けたＬ字片３８に支持されている支持レバー４１と操作レバー４２がコンタクトアーム３３とともに下方向へ移動する。Ｌ字片３８に支持されている操作レバー４２が降下する際に操作アーム４４に形成されている係合突起４５がトリガレバー３２の係合片４６の上面と係合して操作レバー４２が反時針回り方向に回動される。この操作レバー４２が回動することによって操作レバー４２の操作アーム４４が支持レバー４１の作動ピン４７と係合して支持レバー４１を反時針回り方向へ回動させる。このように支持レバー４１が回動されることによって支持レバー４１の支持部４３がコンタクトレバー３４の操作端３６から離反して、コンタクトレバー３４の操作端３６が一気に下方へ回動してバルブステム１９を下死点まで作動させて起動バルブ１５をオフ作動させて釘打機１を初期状態に復帰させる。このとき、コンタクトレバー３４の操作端３６はＬ字片３８のスライド作動軌跡上から退避した位置に配置される。
【００３４】
反動によって上動した釘打機１が被打込材上に下降して、再度コンタクトアーム３３が上方へ操作されると、図１３に示すように、コンタクトアーム３３の操作に伴ってＬ字片３８とこのＬ字片３８に支持されている支持レバー４１と操作レバー４２とが上方へ移動されるが、このときには、コンタクトレバー３４の操作端３６はＬ字片３８のスライド作動軌跡から後方側へ退避した位置に配置されているので、このＬ字片３８に支持されている支持レバー４１の支持部４３によってコンタクトレバー３４が回動操作されない。従って、上記のように釘打機１の反動によってコンタクトアーム３３が再作動することがあっても釘打機１が再起動されることが無く、従って、ドリブル打ちが防止できる。なお、上記のように単発打ちモードでの釘打ちが終了した後に、釘打機１のノーズ部７を被打込材面から離反させてコンタクトアーム３３を下方へ復帰作動させるとともにトリガレバー３２を解放させることによって、起動装置３０は図２に示す初期状態に復帰する。
【００３５】
上記単発打ちモードの操作時では、コンタクトアーム３３を操作することによって支持レバー４１を介してコンタクトレバー３３の操作端３６側を上方位置に支持させて、この後のトリガレバー３２の回動操作によってコンタクトレバー３４の基端部３５側を上方へ回動させてバルブステム１９をオン位置まで操作させるとともに、前記トリガレバー３２操作によって係合片４６を前記支持レバー４１の下方側に配置させ、反動によりコンタクトアーム３３が下方向へ移動したときに前記係合片４６によって操作レバー４２を回動させてこの操作レバー４２を介して支持レバー４１を回動させて支持レバー４１によるコンタクトレバー３４の支持を解除させて、コンタクトレバー３４の操作端３６をコンタクトアーム３３のスライド軌跡上から退避した位置へ配置させるようにしている。これによって、上記単発打ちモード時の釘打ち込みの反動によって釘打機１が上方へ跳ね上がり、この後に釘打機１が再度被打込材へ着地することによってコンタクトアーム３３が再作動してもドリブル打ちの発生が防止できる。
【００３６】
また、コンタクトアーム３３が操作されていない状態では常に起動バルブ１５のバルブステム１９が下死点まで降下されて起動バルブ１５がオフ作動した状態にされているため、コンタクトアーム３３を操作した後でトリガレバー３２を操作して単発打ちモード状態を維持したままで釘打機１を圧縮空気源に接続操作しても釘打機１は起動されることが無く接続時の誤作動を防止することができる。
【図面の簡単な説明】
【００３７】
【図１】本発明の起動装置を搭載した釘打機を示す縦断側面図
【図２】図１の釘打機の主要部を拡大した縦断側面図
【図３】図１の釘打機の起動バルブの作動状態を示す断面図であり、（ａ）はバルブステムが下死点位置に配置された作動前の状態、（ｂ）はバルブステムが下死点から上死点へ向けて操作されて起動バルブがオン作動された状態、（ｃ）は、バルブステムが上死点から下死点へ向けて作動され起動バルブがオフ作動された状態を示す
【図４】起動装置の主要部を形成している部品の分解斜視図
【図５】図４と同じ部品の組み付け状態を示す斜視図
【図６】起動装置のトリガレバーを最初に回動操作した状態の縦断側面図
【図７】コンタクトアームの操作に続けてトリガレバーを回動操作した状態の縦断側面図
【図８】連続打ちモードでのトリガレバーを引き操作した起動装置の作動状態を示す断面図
【図９】コンタクトアームが操作されて起動バルブがオン作動した起動装置の作動状態を示す図８と同じ断面図
【図１０】単発打ちモードでのコンタクトアームを操作した起動装置の作動状態を示す断面図
【図１１】トリガレバーを回動操作して起動バルブがオン作動した起動装置の作動状態を示す図１０と同じ断面図
【図１２】反動によりコンタクトアームが下死点方向に作動した起動装置の作動状態を示す図１０と同じ断面図
【図１３】コンタクトアームが再度上死点方向に作動した起動装置の作動状態を示す図１０と同じ断面図
【符号の説明】
【００３８】
１  釘打機
１５  起動バルブ
１９  バルブステム
３０  起動装置
３２  トリガレバー
３３  コンタクトアーム
３４  コンタクトレバー
３５  基端部
３６  操作端
４１  支持レバー
４２  操作レバー
【図１】
2005212090.tif 000003
【図２】
2005212090.tif 000004
【図３】
2005212090.tif 000005
【図４】
2005212090.tif 000006
【図５】
2005212090.tif 000007
【図６】
2005212090.tif 000008
【図７】
2005212090.tif 000009
【図８】
2005212090.tif 000010
【図９】
2005212090.tif 000011
【図１０】
2005212090.tif 000012
【図１１】
2005212090.tif 000013
【図１２】
2005212090.tif 000014
【図１３】
2005212090.tif 000015